(57)【要約】【課題】バーコードの埋め込みを簡易な構成で実現する表示装置を提供する。【解決手段】行列状に配置された画素を有する表示装置であって、画素毎に設けられた発光素子２１と、画素毎に設けられ発光素子に電流を供給する駆動トランジスタ２２と、画素毎に設けられ駆動トランジスタによる発光素子への電流供給をオンおよびオフするスイッチトランジスタ２３と、行毎に設けられ行内のスイッチトランジスタの各々のゲートに接続された制御信号線と、スイッチトランジスタ２３のオンおよびオフを制御するスイッチ制御信号を制御信号線に供給することによりスイッチトランジスタを駆動するゲート駆動回路４と、バーコードパターンに対応するバーコードデータを生成するコード生成部４３とを備え、コード生成部４３は、スイッチ制御信号にバーコードデータを重畳することによって表示画像にバーコードパターンを埋め込む。【選択図】図１
2015135429.tif 000002
【特許請求の範囲】
【請求項１】
行列状に配置された画素を有する表示装置であって、
画素毎に設けられた発光素子と、
画素毎に設けられ前記発光素子に電流を供給する駆動トランジスタと、
画素毎に設けられ前記駆動トランジスタによる前記発光素子への電流供給をオンおよびオフするスイッチトランジスタと、
行毎に設けられ行内の前記スイッチトランジスタの各々のゲートに接続された制御信号線と、
前記スイッチトランジスタのオンおよびオフを制御するスイッチ制御信号を前記制御信号線に供給することにより前記スイッチトランジスタを駆動するゲート駆動回路と、
バーコードパターンに対応するバーコードデータを生成するコード生成部と
を備え、
前記コード生成部は、前記スイッチ制御信号に前記バーコードデータを重畳することによって表示画像に前記バーコードパターンを埋め込む
表示装置。
【請求項２】
前記ゲート駆動回路は、行毎の前記制御信号線を走査するシフトレジスタを有し、
前記コード生成部は、前記スイッチ制御信号の波形において前記発光素子が発光すべき発光期間に、前記バーコードデータを重畳し、前記シフトレジスタのシリアルデータ入力端子に出力する
請求項１に記載の表示装置。
【請求項３】
前記コード生成部は、さらに、前記バーコードデータの重畳に先立って、前記バーコードパターンの埋め込みの開始を示す開始コードを前記スイッチ制御信号に重畳する
請求項１または２に記載の表示装置。
【請求項４】
前記コード生成部は、さらに、前記表示画像におけるバーコードによる黒ラインの割合を調整するダミーの黒ラインを表すデータを前記スイッチ制御信号に重畳する
請求項１から３のいずれか１項に記載の表示装置。
【請求項５】
前記コード生成部は、前記バーコードデータの重畳を繰り返す
請求項１から４のいずれか１項に記載の表示装置。
【請求項６】
行列状に配置された画素を有する表示装置の駆動方法であって、
前記表示装置は、
画素毎に設けられた発光素子と、
画素毎に設けられ前記発光素子に電流を供給する駆動トランジスタと、
画素毎に設けられ前記駆動トランジスタによる前記発光素子への電流供給をオンおよびオフするスイッチトランジスタと、
行毎に設けられ行内の前記スイッチトランジスタの各々のゲートに接続された制御信号線と、
前記スイッチトランジスタのオンおよびオフを制御するスイッチ制御信号を前記制御信号線に供給することにより前記スイッチトランジスタを駆動するゲート駆動回路と、
バーコードパターンに対応するバーコードデータを生成するコード生成部と
を備え、
前記駆動方法は、
前記バーコードデータを取得し、
前記スイッチ制御信号に取得した前記バーコードデータを重畳することによって表示画像に前記バーコードパターンを埋め込む
表示装置の駆動方法。
【発明の詳細な説明】
【技術分野】
【０００１】
本開示は、表示画像にバーコードを埋め込む表示装置およびその駆動方法に関する。
【背景技術】
【０００２】
従来、バーコード、ＱＲコード（登録商標）等の符号化された１次元または２次元の幾何学パターンが、紙媒体だけでなくディスプレイ表示にも利用されている。
【０００３】
特許文献１は、映像信号にＱＲコード（登録商標）を埋め込む映像信号出力装置を開示している。この映像信号出力装置は、まず、コード化元データからＱＲコード（登録商標）と、映像信号を取得する。さらに、映像信号出力装置は、取得した映像信号に、上記のＱＲコード（登録商標）を、肉眼で認識することが困難なように挿入する。そして、ＱＲコード（登録商標）が挿入された映像信号を、表示のために表示装置に出力する。また、カメラを備えた携帯電話機が、表示装置に表示されたＱＲコード（登録商標）を、そのカメラに撮影させ、そのカメラが撮影したＱＲコード（登録商標）を解読する。
【０００４】
このように、特許文献１は、他の情報表示の邪魔にならないように幾何学パターンを表示させ、また、表示された幾何学パターンを撮影および解読することを開示している。
【先行技術文献】
【特許文献】
【０００５】
【特許文献１】特開２００６−１２８９００号公報
【発明の概要】
【発明が解決しようとする課題】
【０００６】
しかしながら、上記の従来技術によれば、表示画像に幾何学パターンを埋め込むために、原画像そのものを加工しなければならないという課題がある。
【０００７】
本開示は、表示画像へのバーコードの埋め込みを、原画像の加工を必要としないで実現する表示装置およびその駆動方法を提供する。
【課題を解決するための手段】
【０００８】
本開示に係る表示装置は、行列状に配置された画素を有する表示装置であって、画素毎に設けられた発光素子と、画素毎に設けられ前記発光素子に電流を供給する駆動トランジスタと、画素毎に設けられ前記駆動トランジスタによる前記発光素子への電流供給をオンおよびオフするスイッチトランジスタと、行毎に設けられ行内の前記スイッチトランジスタの各々のゲートに接続された制御信号線と、前記スイッチトランジスタのオンおよびオフを制御するスイッチ制御信号を前記制御信号線に供給することにより前記スイッチトランジスタを駆動するゲート駆動回路と、バーコードパターンに対応するバーコードデータを生成するコード生成部とを備え、前記コード生成部は、前記スイッチ制御信号に前記バーコードデータを重畳することによって表示画像に前記バーコードパターンを埋め込む。
【発明の効果】
【０００９】
本開示における表示装置およびその駆動方法によれば、表示画像へのバーコードの埋め込みを、原画像の加工を必要としないで実現することができる。
【図面の簡単な説明】
【００１０】
【図１】図１は、実施の形態１における表示装置の構成例および画素回路の構成例を示すブロック図である。
【図２】図２は、実施の形態１におけるゲート駆動回路の通常表示動作を示すタイムチャート例を示す図である。
【図３】図３は、実施の形態１におけるコード生成部の動作説明図である。
【図４】図４は、実施の形態１における通常表示におけるイネーブル信号のタイムチャート例を示す図である。
【図５】図５は、実施の形態１におけるバーコード重畳表示におけるイネーブル信号のタイムチャート例を示す図である。
【図６】図６は、実施の形態１におけるバーコード重畳表示における表示画像例を示す図である。
【図７】図７は、実施の形態１におけるバーコードデータを複数フレーム期間にわたって重畳するコード生成部の動作説明図である。
【図８】図８は、実施の形態２における開始コード、バーコードデータおよびダミーコードを重畳するコード生成部の動作説明図である。
【図９Ａ】図９Ａは、実施の形態２における開始コード、バーコードデータおよびダミーコードの第１の重畳例を示す図である。
【図９Ｂ】図９Ｂは、実施の形態２における開始コード、バーコードデータおよびダミーコードの第２の重畳例を示す図である。
【図９Ｃ】図９Ｃは、実施の形態２における開始コード、バーコードデータおよびダミーコードの第３の重畳例を示す図である。
【図１０】図１０は、変形例における画素回路の構成例を示す図である。
【図１１】図１１は、変形例におけるバーコード重畳表示動作におけるタイムチャート例を示す図である。
【発明を実施するための形態】
【００１１】
（課題の詳細）
上記の従来技術の映像信号出力装置は、原画像としての映像信号中から選択されたフレームのそれぞれに対して、画像の一部に幾何学パターンを挿入するという加工が必要である。
【００１２】
そのため、第１に、加工の処理負荷が大きいという問題がある。
【００１３】
第２に、カメラにより撮像した映像信号に幾何学パターンを挿入して伝送する場合には加工に要する時間相当の遅延時間が発生するという問題がある。
【００１４】
第３に、幾何学パターンを挿入した後の画像は元に戻すことができないという問題がある。
【００１５】
第４に、一旦幾何学パターンを挿入してしまうと変更できない。変更したい場合には、原画像を別途保存しておき、異なる幾何学パターンを挿入した画像を生成する必要がある。
【００１６】
このような課題を解決するために、本開示の一態様に係る表示装置は、列状に配置された画素を有する表示装置であって、画素毎に設けられた発光素子と、画素毎に設けられ前記発光素子に電流を供給する駆動トランジスタと、画素毎に設けられ前記駆動トランジスタによる前記発光素子への電流供給をオンおよびオフするスイッチトランジスタと、行毎に設けられ行内の前記スイッチトランジスタの各々のゲートに接続された制御信号線と、前記スイッチトランジスタのオンおよびオフを制御するスイッチ制御信号を前記制御信号線に供給することにより前記スイッチトランジスタを駆動するゲート駆動回路と、バーコードパターンに対応するバーコードデータを生成するコード生成部とを備え、前記コード生成部は、前記スイッチ制御信号に前記バーコードデータを重畳することによって表示画像に前記バーコードパターンを埋め込む。
【００１７】
この構成によれば、表示画像へのバーコードの埋め込みを、原画像の加工を必要としないで実現することができる。バーコードは表示装置において重畳されるので、カメラにより撮像した映像信号を伝送する場合には原画像を伝送すればよく、遅延時間の発生を抑制することができる。また、表示装置における表示時にリアルタイムで重畳するので、異なるバーコードへの変更や重畳するタイミングを、表示時にリアルタイムに自由に変更することができる。
【００１８】
また、本開示の一態様に係る表示装置の駆動方法は、行列状に配置された画素を有する表示装置の駆動方法であって、前記表示装置は、画素毎に設けられた発光素子と、画素毎に設けられ前記発光素子に電流を供給する駆動トランジスタと、画素毎に設けられ前記駆動トランジスタによる前記発光素子への電流供給をオンおよびオフするスイッチトランジスタと、行毎に設けられ行内の前記スイッチトランジスタの各々のゲートに接続された制御信号線と、前記スイッチトランジスタのオンおよびオフを制御するスイッチ制御信号を前記制御信号線に供給することにより前記スイッチトランジスタを駆動するゲート駆動回路と、バーコードパターンに対応するバーコードデータを生成するコード生成部とを備え、前記駆動方法は、前記バーコードデータを取得し、前記スイッチ制御信号に取得した前記バーコードデータを重畳することによって表示画像に前記バーコードパターンを埋め込む。
【００１９】
以下、実施の形態について、図面を参照しながら具体的に説明する。
【００２０】
なお、以下で説明する実施の形態は、いずれも包括的または具体的な例を示すものである。以下の実施の形態で示される数値、形状、材料、構成要素、構成要素の配置位置及び接続形態などは、一例であり、本開示を限定する趣旨ではない。また、以下の実施の形態における構成要素のうち、最上位概念を示す独立請求項に記載されていない構成要素については、任意の構成要素として説明される。
【００２１】
（実施の形態１）
実施の形態の表示装置について図面に基づいて説明する。
【００２２】
本実施の形態の表示装置は、画素毎に設けられた発光素子への電流供給をオンおよびオフするスイッチトランジスタのゲートに入力されるスイッチ制御信号に、バーコードデータを重畳する構成を採用している。これにより、表示画像にはバーコードパターンが埋め込まれる。
【００２３】
［１−１  表示装置の構成］
図１は、実施の形態１における表示装置の構成例および画素回路の構成例を示すブロック図である。
【００２４】
同図における表示装置１は、有機ＥＬディスプレイ装置の例であって、表示部２、データ駆動回路３、ゲート駆動回路４、コード生成部４３、メモリ４４および制御部５を備える。
【００２５】
表示部２は、行列状に配置された複数の画素回路２０を備える。複数の画素回路２０は、同図ではｎ行ｍ列に配置されている。ｎ、ｍは、表示部のサイズおよび解像度により異なり、例えば、ＨＤ（ＨｉｇｈＤｅｆｉｎｉｔｉｏｎ）と呼ばれる解像度で、行内にＲＧＢ３原色に対応する画素回路２０が隣接する場合、約１９２０×３、約１０８０である。
【００２６】
各画素回路２０は、ＲＧＢ三原色の何れかの発光画素を構成し、イネーブル信号線、スキャン信号線およびデータ信号線に接続される。言い換えれば、ｉ番目の行に属する画素回路２０は、Ｅｎａｂｌｅ（ｉ）信号線およびＳｃａｎ（ｉ）信号線に接続される。また、ｊ番目の列に属する画素回路２０は、Ｄａｔａ（ｊ）信号線に接続される。ここで、ｉは１〜ｎの整数、ｊは１〜ｍの整数である。
【００２７】
Ｅｎａｂｌｅ（ｉ）信号線は、ｉ番目の行に属する画素回路２０の発光および非発光を制御する制御信号線である。より具体的には、Ｅｎａｂｌｅ（ｉ）信号線は、ｉ番目の行に属する画素回路２０スイッチトランジスタ２３のオンおよびオフを制御するスイッチ制御信号線である。
【００２８】
Ｓｃａｎ（ｉ）信号線は、ｉ番目の行に属する画素回路２０への画素データの書き込みを制御する制御信号線である。
【００２９】
Ｄａｔａ（ｊ）信号線は、ｊ番目の列に属する画素回路２０への、画素の明るさを表す電圧を画素データとして伝達するデータ線である。
【００３０】
画素回路２０のそれぞれは、表示用の画素に対応し、発光素子２１、駆動トランジスタ２２、スイッチトランジスタ２３、スイッチトランジスタ２４、保持容量２５を備える。
【００３１】
発光素子２１は、有機ＥＬ素子であり、ＯＬＥＤ（Ｏｒｇａｎｉｃ Ｌｉｇｈｔ Ｅｍｉｔｔｉｎｇ Ｄｉｏｄｅ）とも呼ばれる発光素子の一例であり、自身を流れる電流の大きさに応じた明るさで発光する。発光素子２１のアノードは駆動トランジスタ２２のソースに接続され、発光素子２１のカソードは電源線ＶＳＳに接続されている。電源線ＶＳＳの電圧は例えば０Ｖである。
【００３２】
駆動トランジスタ２２は、発光素子２１に電流を供給するドライバである。駆動トランジスタ２２のゲートは保持容量２５の一方の電極に接続され、ソースは保持容量２５の他方の電極および発光素子２１のアノードに接続される。この接続により、駆動トランジスタ２２のゲートとソースとの間には保持容量２５に保持された電圧つまり画素の明るさを表す電圧が印加される。これにより、駆動トランジスタ２２は、保持容量２５の電圧に応じた量の電流を発光素子２１に供給する。
【００３３】
スイッチトランジスタ２３は、駆動トランジスタ２２による発光素子２１への電流供給をオンおよびオフするスイッチである。スイッチトランジスタ２３のソースは駆動トランジスタ２２のドレインに接続され、スイッチトランジスタ２３のドレインは電源線Ｖｄｄに接続される。スイッチトランジスタ２３のゲートはイネーブル信号線つまりスイッチ制御信号線に接続される。この接続により、スイッチトランジスタ２３は、イネーブル信号線のスイッチ制御信号に従ってオンおよびオフする。つまり、イネーブル信号線がハイレベルのときにスイッチトランジスタ２３は、オン状態であり駆動トランジスタ２２に電源線Ｖｄｄからの電圧を供給する。また、イネーブル信号線がローレベルのときに、スイッチトランジスタ２３は、オフ状態であり駆動トランジスタ２２への電源線Ｖｄｄからの電圧供給を遮断する。
【００３４】
スイッチトランジスタ２４は、保持容量２５に画素の明るさを表す電圧を画素データとして書き込むためのスイッチである。スイッチトランジスタ２４のソースおよびドレインの一方はデータ線に接続され、ソースおよびドレインの他方は保持容量２５の一方の電極に接続される。スイッチトランジスタ２４のゲートは、スキャン信号線に接続される。この接続により、スキャン信号線がハイレベルのときに、スイッチトランジスタ２４はオン状態でありデータ線の電圧を画素データとして保持容量２５に書き込む。また、スキャン信号線がローレベルのときに、スイッチトランジスタ２４はオフであり、スキャン信号線と保持容量２５との接続を電気的に遮断する。
【００３５】
保持容量２５は、駆動トランジスタ２２のゲート−ソース間に画素の明るさを表す電圧を画素データとして保持する。
【００３６】
データ駆動回路３は、表示部２の全列のデータ信号線に画素の明るさを表す電圧を供給する。つまり、Ｄａｔａ（１）信号線からＤａｔａ（ｍ）信号線に画素の明るさを表す電圧を供給する。供給された電圧は、スキャン信号線により選択された行に属する画素回路２０に書き込まれる。
【００３７】
ゲート駆動回路４は、表示部２の行単位に、イネーブル信号線およびスキャン信号線にイネーブル信号およびスキャン信号を走査する。つまり、ゲート駆動回路４は、Ｅｎａｂｌｅ（１）信号線からＥｎａｂｌｅ（ｎ）信号線にスイッチ制御信号を走査し、Ｓｃａｎ（１）信号線からＳｃａｎ（ｎ）信号線にスキャン信号を走査する。そのため、ゲート駆動回路４は、第１シフトレジスタ４１と第２シフトレジスタ４２とを備える。第１シフトレジスタ４１は、イネーブル信号線を走査し、第２シフトレジスタ４２は、スキャン信号線を走査する。
【００３８】
コード生成部４３は、バーコードパターンに対応するバーコードデータを生成し、スイッチ制御信号の波形つまりイネーブル信号の波形にバーコードデータを重畳する。これにより表示部２の表示画像にバーコードパターンを埋め込む。より具体的には、コード生成部４３は、スイッチ制御信号の波形つまりイネーブル信号の波形において発光素子２１子が発光すべき発光期間にバーコードデータを重畳し、重畳した波形を表すデジタルデータを第１シフトレジスタ４１のシリアルデータ入力端子に出力する。第１シフトレジスタ４１は、シリアルデータ入力端子に入力されたデジタルデータを順次シフトしながらＥｎａｂｌｅ（１）信号線〜Ｅｎａｂｌｅ（ｎ）信号線から出力する。
【００３９】
メモリ４４は、外部から制御部５を介して与えられるバーコード情報を記憶し、コード生成部４３に出力する。バーコード情報は、インターネットウェブサイトのＵＲＬ（Ｕｎｉｖｅｒｓａｌ  Ｒｅｓｏｕｒｃｅ  Ｌｏｃａｔｏｒ）を表す情報、著作権所有者を表す情報などである。このバーコード情報は、テキストデータでもよいし、バーコードパターンに対するデータでもよく、コード生成部４３によってバーコードデータに変換される。
【００４０】
制御部５は、表示装置１全体の制御を行う。また、制御部５は、外部から表示画像つまり表示すべき映像信号に関するバーコード情報を取得し、メモリ４４に書き込み、表示画像へのバーコードパターンの埋め込みの開始および終了をコード生成部４３に指示する。
【００４１】
［１−２  動作説明］
以上のように構成された表示装置１についてその動作を説明する。
【００４２】
［１−２−１  表示装置の通常の表示動作］
図２は、実施の形態１におけるゲート駆動回路の通常表示動作を示すタイムチャート例を示す図である。ここでいう通常表示動作とは表示画像にバーコードパターンを埋め込まない表示動作をいう。
【００４３】
同図において、Ｅｎａｂｌｅ（１）の上に図示しているクロック信号は、１水平周期を１周期とするクロック信号であり、第１シフトレジスタ４１および第２シフトレジスタ４２のクロック入力端子に入力される。つまり、第１シフトレジスタ４１および第２シフトレジスタ４２は、このクロック信号の立ち上がりエッジのタイミング毎にシフト動作を繰り返す。したがって、Ｅｎａｂｌｅ（ｉ）、Ｓｃａｎ（ｉ）は、Ｅｎａｂｌｅ（ｉ−１）、Ｓｃａｎ（ｉ−１）よりも１水平周期だけ遅延した信号波形になっている。
【００４４】
Ｅｎａｂｌｅ（１）は、第１シフトレジスタ４１から表示部２の第１行目に属する画素回路２０のスイッチトランジスタ２３のゲートに印加されるスイッチ制御信号の電圧つまりイネーブル信号の電圧を示す。この電圧がハイレベルであればスイッチトランジスタ２３がオンになり、保持容量２５の電圧に応じて発光素子２１が発光する。つまり、スイッチトランジスタ２３がオンの期間は発光期間を意味する。また、イネーブル信号がローレベルであればスイッチトランジスタ２３オフになり、発光素子２１は発光できない。スイッチトランジスタ２３がオフの期間は非発光期間を意味する。
【００４５】
Ｓｃａｎ（１）は、第２シフトレジスタ４２から表示部２の第１行目に属する画素回路２０のスイッチトランジスタ２４のゲートを駆動するスキャン信号の電圧を示す。この電圧がハイレベルであればスイッチトランジスタ２４がオンになり、データ線の電圧が保持容量２５に書き込まれる。ローレベルであればオフになる。スキャン信号がハイレベルからローレベルに変化した後も、再度ハイレベルになるまでの間、保持容量２５には明るさを表す電圧が保持され続ける。それゆえ、発光期間の間は、発光素子２１は同じ明るさで発光を続けることになる。また、Ｓｃａｎ（１）がハイレベルになる期間は、発光期間ではなく非発光期間に含まれる。つまり、保持容量２５の書き換えは非発光期間に行われる。
【００４６】
Ｅｎａｂｌｅ（２）、Ｓｃａｎ（２）、Ｅｎａｂｌｅ（３）、Ｓｃａｎ（３）、・・・についても、対応する行が異なる点と、１つ上の行よりも１水平周期の時間だけ遅延している点以外は上記と同様である。
【００４７】
このように、１つ上の行よりも発光期間は１水平周期だけ時間的にずれている。表示画像にバーコードパターンを埋め込まない通常の表示動作では、非発光期間における保持容量２５への書き込み動作と、発光期間における発光素子２１の発光動作とが、行単位で順次走査されていく。
【００４８】
［１−２−２  コード生成部の動作］
次にコード生成部４３における、スイッチ制御信号の波形つまりイネーブル信号の波形にバーコードデータを重畳する動作について説明する。
【００４９】
図３は、実施の形態１におけるコード生成部の動作説明図である。同図では、バーコードパターン、メモリ４４中のバーコードデータ、イネーブル信号波形、およびコード生成部４３の出力波形を示している。
【００５０】
メモリ４４は、バーコード情報として、バーコードパターンを表すバーコードデータを記憶している。このバーコードデータは、最小線幅の黒バーおよび最小線幅の白バーを少なくとも２ビットに対応させるものとする。つまり最小線幅の黒バーは表示部２の表示行の少なくとも２行に対応させるものとする。もし、最小線幅の黒バーを１行に対応させると、次フレームでのスキャンで実質０行になり表示されない可能性があり、これを回避するためである。同図の例では最小線幅の黒バーを２ビットの０に対応させている、つまり２行に対応させている。
【００５１】
コード生成部４３の出力波形に示すように、コード生成部４３は、スイッチ制御信号の波形において発光素子２１が発光すべき発光期間に、バーコードデータを重畳する。この出力波形は第１シフトレジスタ４１のシリアルデータ入力端子に出力される。
【００５２】
なお、図３では、１つのバーコードパターンを表すバーコードデータを１つの発光期間に重畳する例を示しているが、１つのバーコードパターンを連続的に繰り返し、複数の発光期間に重畳してもよい。繰り返しにより、カメラによりバーコードパターンを撮像する機会を増やすことができ、バーコードパターンの撮像を容易にする。
【００５３】
［１−２−２  バーコードパターンを埋め込む表示動作］
バーコードパターンを埋め込む表示動作を説明する前に、通常表示におけるイネーブル信号つまりスイッチ制御信号の波形について説明する。
【００５４】
図４は、実施の形態１における通常表示におけるイネーブル信号のタイムチャート例を示す図である。同図は、図２のイネーブル信号のみを抜き出したタイムチャートであり、Ｅｎａｂｌｅ（１）からＥｎａｂｌｅ（ｎ）を示している。通常表示では、発光期間は１つ上の行よりも１水平周期だけ遅延している。
【００５５】
各行における発光期間に渡って発光素子２１が発光を続けるのは、保持容量２５に保持された明るさを表す電圧が、当該行に対応するＳｃａｎ信号が次にハイレベルになるまでの間、保持容量２５に保持され続けるからである。したがって、Ｓｃａｎ信号が次にハイレベルになるまでの間、いいかえれば保持容量２５が書き換えられるまでの間、イネーブル信号がローレベルとハイレベルの間を変化しても、保持容量２５は電圧を保持し続ける。つまり、イネーブル信号にバーコードデータを重畳した場合、白バーは発光素子２１の発光、黒バーは発光素子２１の非発光に対応することができる。
【００５６】
次に、より詳しくバーコードパターンを埋め込む表示動作を図面を用いて説明する。
【００５７】
図５は、実施の形態１におけるバーコード重畳表示におけるイネーブル信号のタイムチャート例を示す図である。また、図６は、実施の形態１におけるバーコード重畳表示における表示画像例を示す図である。
【００５８】
図５の最上段は、バーコードパターンの例を示す。バーコードパターンの１本目〜５本目の黒バーをｂ１〜ｂ５としている。図３で説明したようにコード生成部４３がイネーブル信号波形にバーコードデータを重畳した結果、第１シフトレジスタ４１によって走査されるＥｎａｂｌｅ（１）からＥｎａｂｌｅ（ｎ）の信号は図５のようになる。
【００５９】
Ｅｎａｂｌｅ（１）に注目すると、黒バーｂ１は、発光期間先頭のローレベルとして重畳される。黒バーｂ１とｂ２間の白バーはハイレベルとして重畳される。黒バーｂ２〜ｂ５も同様にＥｎａｂｌｅ（１）にローレベルとして重畳される。
【００６０】
黒バーｂ１が時間軸方向に重畳されたローレベルは、第１シフトレジスタ４１のシフト動作が進むにつれて、時刻ｔ１では第１行〜第５行までのＥｎａｂｌｅ（１）〜Ｅｎａｂｌｅ（５）をローレベルにする。つまり表示部２の第１行〜第５行は発光しない黒帯表示となる。時刻ｔ１に対応する表示画像例を図６の（ａ）に示す。図６の（ａ）では先頭の５行が黒帯になっている。
【００６１】
黒バーｂ２が時間軸方向に重畳されたローレベルは、時刻ｔ２において第１行と第２行のイネーブル信号をローレベルにする。また、黒バーｂ１が時間軸方向に多重されたローレベルは時刻ｔ２では第５行〜第９行のイネーブル信号をローレベルにする。時刻ｔ２に対応する表示画像例を図６の（ｂ）に示す。図６の（ｂ）では黒バーｂ１の黒帯が第６〜第９行目に表示され、黒バーｂ２の黒帯が第１行と第２行に表示されている。図６の（ｂ）は、（ａ）よりも黒バーｂ１の表示位置が画面の下方向に移動している。
【００６２】
黒バーｂ３が時間軸方向に重畳されたローレベルは、時刻ｔ３において第１行と第２行をローレベルにする。時刻ｔ３に対応する表示画像例を図６の（ｃ）に示す。図６の（ｃ）では黒バーｂ１、黒バーｂ２の表示位置がさらに下に移動し、黒バーｂ３の黒帯が第１行と第２行に表示されている。図６の（ｃ）は、（ｂ）よりも黒バーの表示位置が画面の下方向に移動している。
【００６３】
黒バーｂ４が時間軸方向に重畳されたローレベルは、時刻ｔ４において第１〜第４行のイネーブル信号をローレベルにする。時刻ｔ４に対応する表示画像例を図６の（ｄ）に示す。図６の（ｄ）では黒バーｂ１、黒バーｂ２、黒バーｂ３の表示位置がさらに下に移動し、黒バーｂ４の黒帯が第１行〜第４行に表示されている。図６の（ｄ）は、（ｃ）よりも黒バーの表示位置が画面の下方向に移動している。
【００６４】
黒バーｂ５が時間軸方向に重畳されたローレベルは、時刻ｔ５において第１〜第４行のイネーブル信号をローレベルにする。時刻ｔ５に対応する表示画像例を図６の（ｅ）に示す。図６の（ｅ）では黒バーｂ１〜黒バーｂ４の表示位置がさらに下に移動し、黒バーｂ５の黒帯が第１行〜第４行に表示されている。図６の（ｅ）は、（ｄ）よりも黒バーの表示位置が画面の下方向に移動している。
【００６５】
図６の（ｆ）は黒バーｂ１がさらに画面の下まで移動した表示画像例である。
【００６６】
このように、コード生成部４３によってスイッチ制御信号波形つまりイネーブル信号波形重畳されたバーコードデータは、第１シフトレジスタ４１にシフトされること（つまり走査されること）により表示部２の表示場像上、時間とともに上から下にバーコードが移動しながら表示画像に埋め込まれることになる。
【００６７】
［１−３  効果等］
以上のように実施の形態１における表示装置によれば、表示画像へのバーコードの埋め込みを、原画像の加工を必要としないで実現することができる。バーコードは表示装置において重畳されるので、カメラにより撮像した映像信号を伝送する場合には原画像を伝送すればよく、遅延時間の発生を抑制することができる。また、表示装置における表示時にリアルタイムで重畳するので、異なるバーコードへの変更や重畳するタイミングを、表示時にリアルタイムに自由変更することができる。
【００６８】
コード生成部４３は、第１シフトレジスタ４１のシリアルデータ入力端子にバーコードデータを重畳したスイッチ制御信号を入力するという簡単な構成により実現することができる。
【００６９】
なお、長いバーコードデータを重畳する場合、あるいは複数のバーコードパターンに対応するバーコードデータを重畳する場合は、図７に示すように、コード生成部４３は、複数の発光期間に亘って連続的に重畳すればよい。さらに、この場合も、コード生成部４３は、バーコードパターンを連続的に繰り返し重畳してもよい。
【００７０】
（実施の形態２）
本実施の形態では、さらに開始コードおよびダミーコードを表示画像に埋め込む表示装置について説明する。ここで、開始コードとは、バーコードデータの重畳に先立って、バーコードパターンの埋め込みの開始を示すコードである。また、ダミーコードとは、表示画像におけるバーコードによる黒ラインの割合を調整するために重畳されるコードであり、言い換えれば表示画像の明るさの調整用のコードである。
【００７１】
［２−１  構成］
本実施の形態における表示装置は、図１に示した表示装置の構成において、さらに、コード生成部４３がさらに開始コードおよびダミーコードをスイッチ制御信号つまりイネーブル信号に重畳する点と、メモリ４４が開始コードおよびダミーコードを記憶している点が異なる。
【００７２】
図８は、実施の形態２における開始コード、バーコードデータおよびダミーコードを重畳するコード生成部の動作説明図である。同図のようにコード生成部４３は、スイッチ制御信号へのバーコードデータの重畳に先立って開始コードをスイッチ制御信号に重畳する。開始コードは、バーコードパターン読み取り機器によって開始コードであることを識別可能であり、表示画像では特定のバーを組み合わせた特定のパターンとして埋め込まれる。
【００７３】
また、コード生成部４３は、ダミーコードを随所に重畳する。これは、複数フレームにわたってバーコードパターンを埋め込む場合に、バーコードパターンの埋め込みによって表示画像の明るさが急激に暗くなることや、不自然に明るさが変化することを抑制するためである。例えば、コード生成部４３は、複数フレームにわたって、表示画像中の黒ラインの割合が急激に変換しないように、開始コード、バーコードデータ、およびダミーコードによる全黒ライン数がほぼ一定の範囲内に収まるようにダミーコードを随所に重畳する。ここで随所というのは、開始コードの前、開始コードとバーコードデータとの間、バーコードデータとバーコードデータとの間等でよい。また、ダミーコードは、バーコードパターン読み取り機器によってダミーコードであることを識別可能であり、表示画像では特定のバーを組み合わせた特定のパターンとして埋め込まれる。
【００７４】
［２−２  動作］
次に、コード生成部４３による開始コードおよびダミーコードの具体的な重畳例について説明する。
【００７５】
図９Ａは、実施の形態２における開始コード、バーコードデータおよびダミーコードの第１の重畳例を示す図である。同図では、１つのバーコードデータは、１つまたは複数のバーコードパターンに対応し、スイッチ制御信号に繰り返し重畳される例を示している。
【００７６】
コード生成部４３は、バーコードデータの最初の重畳の直前に１回だけ開始コードを重畳する。
【００７７】
また、コード生成部４３は、開始コードの直前にダミーコードを重畳する。このダミーコードは、表示画像が急激に暗くならないように複数フレームに渡って徐々に黒ライン数を増加させる。
【００７８】
さらに、コード生成部４３は、Ｎ回目のバーコードデータの直後にダミーコードを重畳する。このダミーコードは、表示画像が急激に明るくならないように複数フレームに渡って徐々に黒ライン数を減少させる。
【００７９】
図９Ｂは、実施の形態２における開始コード、バーコードデータおよびダミーコードの第２の重畳例を示す図である。同図では、図９Ａに示した第１の重畳例と比べて、バーコードデータのそれぞれの直後にダミーコードが重畳される。このダミーコードは、表示画像の明るさをほぼ一定の範囲内に保つために挿入されている。すなわち、コード生成部４３は、開始コード、バーコードデータ、およびダミーコードによる全黒ライン数がほぼ一定の範囲内に収まるようにダミーコードに重畳している。
【００８０】
図９Ｃは、実施の形態２における開始コード、バーコードデータおよびダミーコードの第３の重畳例を示す図である。同図では、図９Ｂに示した第２の重畳例と比べて、２回目以降のバーコードデータのそれぞれの直前に開始コードが重畳される。この開始コードは、表示画像中のバーコードパターンを読み取る機器、例えばカメラを内蔵するスマートフォンや、受光素子を有するセンサ機器などにおいて、バーコードパターンの検出をより容易にするためである。
【００８１】
［２−３  効果等］
以上のように本実施の形態における表示装置によれば、実施の形態１と同じ効果に加えて、開始コードを重畳することによって、表示画像中のバーコードパターンを読み取る機器、例えばカメラを内蔵するスマートフォンや、受光素子を有するセンサ機器などにおいて、バーコードパターンの検出を容易にすることができる。また、バーコードパターンの重畳による表示画像の明るさが急激に変わることや、不自然に明るさがかわること等を防止し、バーコードパターンによる時系列的な明るさの変動を抑えることができる。
【００８２】
なお、バーコードパターン読み取り機器が、バーコードデータと混同されることなくダミーコードを識別可能であれば、バーコードデータの途中に挿入するようにしてもよい。
【００８３】
以上説明してきたように、本開示の一態様に係る表示装置は、行列状に配置された画素を有する表示装置であって、画素毎に設けられた発光素子と、画素毎に設けられ前記発光素子に電流を供給する駆動トランジスタと、画素毎に設けられ前記駆動トランジスタによる前記発光素子への電流供給をオンおよびオフするスイッチトランジスタと、行毎に設けられ行内の前記スイッチトランジスタの各々のゲートに接続された制御信号線と、前記スイッチトランジスタのオンおよびオフを制御するスイッチ制御信号を前記制御信号線に供給することにより前記スイッチトランジスタを駆動するゲート駆動回路と、バーコードパターンに対応するバーコードデータを生成するコード生成部とを備え、前記コード生成部は、前記スイッチ制御信号に前記バーコードデータを重畳することによって表示画像に前記バーコードパターンを埋め込む。
【００８４】
この構成によれば、表示画像へのバーコードの埋め込みを、原画像の加工を必要としないで実現することができる。バーコードは表示装置において重畳されるので、カメラにより撮像した映像信号を伝送する場合には原画像を伝送すればよく、遅延時間の発生を抑制することができる。また、表示装置における表示時にリアルタイムで重畳するので、異なるバーコードへの変更や重畳するタイミングを、表示時にリアルタイムに自由変更することができる。
【００８５】
ここで、前記ゲート駆動回路は、行毎の前記制御信号線を走査するシフトレジスタを有し、前記コード生成部は、前記スイッチ制御信号の波形において前記発光素子が発光すべき発光期間に、前記バーコードデータを重畳し、前記シフトレジスタのシリアルデータ入力端子に出力してもよい。
【００８６】
この構成によれば、シフトレジスタのシリアル入力端子にバーコードデータを重畳したスイッチ制御信号を入力するという簡単な構成により実現することができる。
【００８７】
ここで、前記コード生成部は、さらに、前記バーコードデータの重畳に先立って、前記バーコードパターンの埋め込みの開始を示す開始コードを前記スイッチ制御信号に重畳してもよい。
【００８８】
この構成によれば、表示画像中のバーコードパターンを読み取る機器、例えばカメラを内蔵するスマートフォンや、受光素子を有するセンサ機器などにおいて、バーコードパターンの検出を容易にすることができる。
【００８９】
ここで、前記コード生成部は、さらに、前記表示画像におけるバーコードによる黒ラインの割合を調整するダミーの黒ラインを表すデータを前記スイッチ制御信号に重畳してもよい。
【００９０】
この構成によれば、バーコードパターンの重畳による表示画像の明るさが急激に変わることを防止し、バーコードパターンによる時系列的な明るさの変動を抑えることができる。
【００９１】
ここで、前記コード生成部は、前記バーコードデータの重畳を繰り返してもよい。
【００９２】
この構成によれば、表示画像中のバーコードパターンを読み取る機器における検出もれを抑制し検出をより確実にすることができる。
【００９３】
また、本開示の一態様に係る表示装置の駆動方法は、行列状に配置された画素を有する表示装置の駆動方法であって、前記表示装置は、画素毎に設けられた発光素子と、画素毎に設けられ前記発光素子に電流を供給する駆動トランジスタと、画素毎に設けられ前記駆動トランジスタによる前記発光素子への電流供給をオンおよびオフするスイッチトランジスタと、行毎に設けられ行内の前記スイッチトランジスタの各々のゲートに接続された制御信号線と、前記スイッチトランジスタのオンおよびオフを制御するスイッチ制御信号を前記制御信号線に供給することにより前記スイッチトランジスタを駆動するゲート駆動回路と、バーコードパターンに対応するバーコードデータを生成するコード生成部とを備え、前記駆動方法は、前記バーコードデータを取得し、前記スイッチ制御信号に取得した前記バーコードデータを重畳することによって表示画像に前記バーコードパターンを埋め込む。
【００９４】
この構成によれば、表示画像へのバーコードの埋め込みを、原画像の加工を必要としないで実現することができる。バーコードは表示装置において重畳されるので、カメラにより撮像した映像信号を伝送する場合には原画像を伝送すればよく、遅延時間の発生を抑制することができる。また、表示装置における表示時にリアルタイムで重畳するので、異なるバーコードへの変更や重畳するタイミングを、表示時にリアルタイムに自由変更することができる。
【００９５】
（変形例）
以上のように、本出願において開示する技術の例示として、前述した実施の形態を説明した、しかしながら、本開示における技術は、これに限定されず、適宜、変更、置き換え、付加、省略などを行った実施の形態にも適用可能である。また、実施の形態で説明した各構成要素を組み合わせて、新たな実施の形態とすることも可能である。
【００９６】
図１０は、変形例における画素回路の構成例を示す図である。表示装置１は、図１に示した画素回路２０の代わりに画素回路２００を備える構成としてもよい。画素回路２００は、図１の画素回路２０と比べて、スイッチトランジスタ２６およびスイッチトランジスタ２７が追加されている点と、列毎に設けられた参照電圧線Ｖｅｆ、行毎に設けられた初期化電圧線Ｖｉｎｉ、スイッチトランジスタ２６の制御信号線Ｉｎｉｔ（ｉ）、およびスイッチトランジスタ２７の制御信号線Ｒｅｆ（ｉ）が追加されている点とが異なる。
【００９７】
図１１は、変形例におけるバーコード重畳表示動作におけるタイムチャート例を示す図である。同図において、Ｉｎｉｔ（ｉ）は、制御信号線Ｉｎｉｔ（ｉ）の信号波形である。Ｒｅｆ（ｉ）は、制御信号線Ｒｅｆ（ｉ）の信号波形である。
【００９８】
図１１の非発光期間は、図２の非発光期間と比べて、しきい値補償動作が追加されている点で異なっている。しきい値補償動作は、保持容量２５への書き込み前に、駆動トランジスタ２２の実際のしきい値と同等の電圧を保持容量２５に与える動作である。つまり、個々の駆動トランジスタ２２の環境や経時変化によるしきい値の変動を補償するための動作である。
【００９９】
そのため、まず、ゲート駆動回路４は、ｉｎｉｔ（ｉ）およびＲｅｆ（ｉ）をともにハイレベルにすることにより、保持容量２５にＶｒｅｆ−Ｖｉｎｉの電圧を設定する。ここで、Ｖｒｅｆ−Ｖｉｎｉは、駆動トランジスタ２２のしきい値より少し高い電圧であり、実質的に駆動トランジスタ２２に電流を流さない電圧である。この状態で、ｉｎｉｔ（ｉ）をローレベルにした後、Ｅｎａｂｌｅ（ｉ）をハイレベルにする。Ｅｎａｂｌｅ（ｉ）をハイレベルにすることにより、発光素子２１に実質的に電流が流れないが、駆動トランジスタ２２は不完全な導通状態から非導通状態に変化する。この変化は、駆動トランジスタ２２から保持容量２５へ流れる電流による。駆動トランジスタ２２が非導通状態になった時点で、保持容量２５は駆動トランジスタ２２のしきい値と同等の電圧を保持することになる。この後、Ｓｃａｎ（ｉ）のパルスによって、保持容量２５に保持されたしきい値と同等の電圧に、画素データ（つまり画素の明るさを表す電圧）が上乗せされる。これにより、駆動トランジスタ２２のしきい値のばらつきを補償している。
【０１００】
また、Ｓｃａｎ（ｉ）の前のＥｎａｂｌｅ（ｉ）のパルスは、発光素子２１を発光させないので、Ｅｎａｂｌｅ（ｉ）がハイレベルであっても非発光期間に含まれる。つまり、このパルスは、コード生成部４３によるバーコードの重畳の対象外である。コード生成部４３は、同図のＥｎａｂｌｅ（ｉ）の発光期間に、実施の形態１または実施の形態２と同じようにバーコードデータを重畳する。
【０１０１】
このように、画素回路の構成が異なっていても、画素毎に設けられ駆動トランジスタによる発光素子への電流供給をオンおよびオフするスイッチトランジスタを有する画素回路であれば、本開示におけるバーコードデータの重畳を適用することができる。
【０１０２】
なお、各実施の形態では、ｎチャネル型のトランジスタを有する画素回路の例について説明したが、ｐチャネル型のトランジスタであってもよい。
【０１０３】
また、バーコードパターンの黒バーの最小線幅にバーコードデータの２ビットの０つまり表示画像の２ラインを対応させる例を説明したが、黒バーの最小線幅をより多くのビット数の０に対応させれば、線幅のより太いバーコードパターンを埋め込むことができる。線幅がある程度太いと、表示画像に埋め込まれたバーコードパターンを読み取る機器における読み取りを容易にすることができる。例えば、黒バーの最小線幅に、４ビットの０つまり４ラインに対応させてもよいし、１０ビットつまり１０ラインに対応させてもよい。
【０１０４】
また、表示画像に埋め込まれたバーコードパターンを読み取る機器は、カメラに限らない。例えば、表示画面の隅に受光素子を接触させ、受光素子の出力変化からバーコードパターンを検出する簡易な装置であってもよい。
【０１０５】
なお、上記各実施の形態において、黒帯の割合が一定になるように予め設計された特別なバーコードを用いるようにしてもよい。こうすれば、例えば実施の形態２では、ダミーコードの代わりにあるいはダミーコードと共に上記の特別なバーコードを用いることにより、バーコードパターンの重畳に起因して表示画像の明るさが急激に変化することを容易に防止することができる。
【０１０６】
また、上記各実施の形態におけるバーコードは、狭義では規格化された一次元の符号を意味し、広義では何らかの情報を表す一次元の符号を意味する。狭義のバーコードには、例えば、ＥＡＮ（European Article Number）、ＪＡＮ（Japan Article Number）、ＣＯＤＥ３９、ＩＴＦ（Interleaved Two Of Five code）、ＮＷ−７（Narrow Wide 7）、ＣＯＤＥ１２８、ＣＯＤＥ９３、ＲＳＳ（Reduced Space Symbology）などの規格の何れかによって符号化された一次元の符号を含み、数値や文字等を表す。また、広義のバーコードは、予め定められた情報を表す一次元の符号であってもよい。予め定められた情報は、例えば、数値や文字等の他に、音声、音素、音量、画像、画素値、時刻、コンピュータの実行プログラム、特定の機器を制御するための制御データ、特定の物理量、特定のカテゴリーを分類する名称などでもよい。
【０１０７】
以上、表示装置について、実施の形態に基づいて説明したが、本開示は、この実施の形態に限定されるものではない。本開示における技術は、これらに限定されず、適宜、変更、置き換え、付加、省略などを行った実施の形態にも適用可能である。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれる。
【０１０８】
また、上述した表示装置については、フラットパネルディスプレイとして利用することができ、テレビ受像機、パーソナルコンピュータ、携帯電話機など、表示装置を有するあらゆる電子機器に適用することができる。
【産業上の利用可能性】
【０１０９】
本開示は、テレビ受像機、情報機器のディスプレイなどの表示装置に利用できる。
【符号の説明】
【０１１０】
１  表示装置
２  表示部
３  データ駆動回路
４  ゲート駆動回路
２０、２００  画素回路
２１  発光素子
２２  駆動トランジスタ
２３、２４、２６、２７  スイッチトランジスタ
２５  保持容量
４１  第１シフトレジスタ
４２  第２シフトレジスタ
４３  コード生成部
４４  メモリ
【図１】
2015135429.tif 000003
【図２】
2015135429.tif 000004
【図３】
2015135429.tif 000005
【図４】
2015135429.tif 000006
【図５】
2015135429.tif 000007
【図６】
2015135429.tif 000008
【図７】
2015135429.tif 000009
【図８】
2015135429.tif 000010
【図９Ａ】
2015135429.tif 000011
【図９Ｂ】
2015135429.tif 000012
【図９Ｃ】
2015135429.tif 000013
【図１０】
2015135429.tif 000014
【図１１】
2015135429.tif 000015